(57)【要約】【課題】シャッターカーテンをほぼ直線状の姿勢で全閉位置に正しく停止できる電動式シャッターとする。【解決手段】電動モータ６０で駆動される巻取り軸１４でシャッターカーテン１３を巻き取り、繰り出して昇降することで開閉する電動式シャッターにおいて、前記巻取り軸１４が設けられたシャッターケース１１内に下降規制装置１７を設け、この下降規制装置１７によってシャッターカーテン１３が全閉位置で下降が規制されることで、電動モータ６０の回転負荷が増大して電動モータ６０が停止するようにする。これによって、シャッターカーテン１３の下降が規制されているスラット１５よりも下方のスラット１５には電動モータ６０による下降力が作用しないから、スラット１５とガイドレール１０との間に隙間があってもスラット１５が動くことがなく、シャッターカーテン１３をほぼ直線状の姿勢で全閉位置に正しく停止できる。【選択図】        図１
2004263399.tif 000002
【特許請求の範囲】
【請求項１】
ガイドレール１０と、このガイドレール１０の上部に設けたシャッターケース１１と、このシャッターケース１１内に設けられ電動モータ６０で回転駆動される巻取り軸１４を有する巻取り装置１２と、この巻取り軸１４で巻き取り、繰り出しされ、前記ガイドレール１０に沿って昇降するシャッターカーテン１３を備えた電動式シャッターにおいて、
前記シャッターケース１１内に、シャッターカーテン１３が全閉位置の時にシャッターカーテン１３の下降を規制する下降規制装置１７を設け、
この下降規制装置１７でシャッターカーテン１３の下降が規制されると電動モータ６０の回転負荷が増大して電動モータ６０が停止するようにしたことを特徴とする電動式シャッター。
【請求項２】
下降規制装置１７は、シャッターカーテン１３を形成するスラット１５に取付けた規制部材４０と、シャッターケース１１内に取付けた受け部材５０を備え、シャッターカーテン１３が全閉位置の時に規制部材４０が受け部材５０に当接するものである請求項１記載の電動式シャッター。
【請求項３】
受け部材５０はシャッターカーテン１３の昇降方向に位置調整自在である請求項２記載の電動式シャッター。
【発明の詳細な説明】
【０００１】
【発明の属する技術分野】
本発明は、建物の窓用開口部や出入口などに取付けられる電動式シャッターに関する。
【０００２】
【従来の技術】
特許文献１に電動式のシャッターが開示されている。
このシャッターは、電動モータで回転駆動される巻取り軸にシャッターカーテンの最上部のスラットを連結し、その電動モータで巻取り軸を巻取り方向、繰り出し方向に回転することでシャッターカーテンを巻き取り、繰り出して昇降することで開閉し、前記シャッターカーテンが全閉位置まで下降したことを下限リミットスイッチや巻取り軸の回転数を検出器でカウントすることで検出し、その下限リミットスイッチのＯＦＦ信号、検出信号で電動モータを自動的に停止する電動式のシャッターである。
この電動式のシャッターにおいては、下限リミットスイッチの故障や電気系統の故障等でシャッターカーテンが全閉位置に達した後も電動モータが駆動し続けることがあるので、その場合に電動モータを緊急停止させるエマーゼンシスイッチを設け、そのＯＦＦ信号で電動モータを緊急停止している。
【０００３】
【特許文献１】
特開２０００−１４５３３７号公報
【０００４】
【発明が解決しようとする課題】
前述した従来の電動式シャッターは、下限リミットスイッチと電動モータの制御器を接続する配線が必要で、その配線作業が面倒であるし、その配線とシャッターカーテンが干渉して破断することがある。
また、検出器で回転数を検出する場合には、検出誤差などが生じ易く、シャッタースラットを正しく全閉位置とすることができないことがある。
【０００５】
これらのことを解消するために、シャッターカーテンが全閉位置となった時に最下部のスラット（座板）が下枠に押しつけられ電動モータの回転負荷が増大することに着目し、その電動モータの回転負荷が増大したら電動モータを自動的に停止してシャッターカーテンを全閉位置で停止する電動式シャッターが提案されている。
このようにすれば、下限リミットスイッチが不要であるから電気配線が無くなるし、電動モータの回転数を検出する必要もないので、前述の課題を解消することができる。
【０００６】
しかしながら、前述の電動式シャッターは次のような課題を有する。
つまり、図１０に示すようにシャッターカーテン１の最下部のスラット（座板）２が下枠３に押しつけられると、電動モータの回転力でスラット２とガイドレール４の開口部４ａとの間の隙間分だけスラット２が動き、シャッターカーテン１が波形状にたるみ、そのスラット２がガイドレール４の開口部４ａ内面に接して動きがなくなった後に電動モータの回転負荷が増大して停止する。
このために、シャッターカーテン１がほぼ直線状の姿勢で全閉位置に正しく停止することができない。
【０００７】
本発明は、前述の課題を解決するためになされたものであって、その目的は、シャッターカーテンをほぼ直線状の姿勢で全閉位置に正しく停止できるようにした電動式シャッターを提供することである。
【０００８】
【課題を解決するための手段】
第１の発明は、ガイドレール１０と、このガイドレール１０の上部に設けたシャッターケース１１と、このシャッターケース１１内に設けられ電動モータ６０で回転駆動される巻取り軸１４を有する巻取り装置１２と、この巻取り軸１４で巻き取り、繰り出しされ、前記ガイドレール１０に沿って昇降するシャッターカーテン１３を備えた電動式シャッターにおいて、
前記シャッターケース１１内に、シャッターカーテン１３が全閉位置の時にシャッターカーテン１３の下降を規制する下降規制装置１７を設け、
この下降規制装置１７でシャッターカーテン１３の下降が規制されると電動モータ６０の回転負荷が増大して電動モータ６０が停止するようにしたことを特徴とする電動式シャッターである。
【０００９】
第２の発明は、第１の発明において下降規制装置１７は、シャッターカーテン１３を形成するスラット１５に取付けた規制部材４０と、シャッターケース１１内に取付けた受け部材５０を備え、シャッターカーテン１３が全閉位置の時に規制部材４０が受け部材５０に当接するものである電動式シャッターである。
【００１０】
第３の発明は、第１の発明において受け部材５０はシャッターカーテン１３の昇降方向に位置調整自在である電動式シャッターである。
【００１１】
【作  用】
第１の発明によれば、シャッターカーテン１３が全閉位置の時にシャッターカーテン１３の下降が下降規制装置１７で規制され、電動モータ６０の回転負荷が増大して電動モータ６０が停止する。
また、前記下降規制装置１７はシャッターケース１１内に設けられ、シャッターカーテン１３はシャッターケース１１内で下降が規制されるから、そのシャッターケース１１よりも下方のスラット１５には電動モータ６０による下降力が作用しないから、ガイドレール１０とスラット１５との間に隙間があってもスラット１５が動くことがない。
よって、シャッターカーテン１３をほぼ直線状の姿勢で全閉位置に正しく停止することができる。
【００１２】
第２の発明によれば、スラット１５に取付けた規制部材４０がシャッターケース１１内に設けた受け部材５０に当接して下降を規制するので、その規制部材４０を取付けたスラット１５はガイドレール１０に沿って昇降しない。
よって、規制部材４０がガイドレール１０に沿って昇降しないので、その規制部材４０の形状、大きさ等をガイドレール１０に関係なく任意にできるから、受け部材５０をシャッターケース１１内の任意の位置に取付けでき、その取付けに制約を受けることがない。
【００１３】
第３の発明によれば、受け部材５０の位置を調整することで各部材の加工誤差、組立誤差がある場合でもシャッターカーテン１３が全閉位置の時に規制部材４０が受け部材５０に当接することができる。
【００１４】
【発明の実施の形態】
図１に示すように、左右のガイドレール１０と、この左右のガイドレール１０の上部に設けたシャッターケース１１と、このシャッターケース１１内に設けた巻取り装置１２と、この巻取り装置１２で巻取り、繰り出しされて昇降することで開閉するシャッターカーテン１３でシャッターを構成している。
前記巻取り装置１２は電動モータで巻取り軸１４を回転駆動するもので、これによって電動式シャッターを構成している。
前記シャッターカーテン１３は複数のスラット１５を連結したもので、この最上部のスラット１５が前記巻取り軸１４に連結されている。
【００１５】
前記ガイドレール１０は図２、図３に示すように、ガイド凹部１６を有し、このガイド凹部１６にスラット１５の端部寄り部分が入り込み、スラット１５はガイド凹部１６内で昇降する。
前記ガイド凹部１６の開口幅はスラット１５の幅よりも大きく、両者の間には隙間がある。前記開口幅は見込み方向（室内外側方向の寸法）で、スラット１５の幅は見込み方向（室内外側方向の寸法）である。
【００１６】
図１に示すようにシャッターカーテン１３が全閉位置の時にシャッターカーテン１３の下降を規制して下降しないようにする下降規制装置１７が前記シャッターケース１１内に設けてある。この下降規制装置１７でシャッターカーテン１３の下降が規制されると電動モータの回転負荷が増大して電動モータが停止するようにしてある。
図１では下降規制装置１７が左右両側に設けてあるが、左右どちらか一方側にのみ設けても良い。
【００１７】
このように、下降規制装置１７がシャッターケース１１内に設けてあるので、この下降規制装置１７でシャッターカーテン１３の下降を規制した時に、その下降規制装置１７よりも下方のスラット１５（つまり、ガイドレール１０のガイド凹部１６内のスラット１５）には電動モータによる下降力が作用しないから、ガイドレール１０（ガイド凹部１６）とスラット１５との間に隙間（見込み方向の隙間）があってもスラット１５が動くことがない。
よって、シャッターカーテン１３を図２に示すように、ほぼ直線状の姿勢で全閉位置に正しく停止することができる。
前述の時、巻取り軸１４と下降規制装置１７との間のスラット１５に電動モータによる下降力が作用し、波形状に変位した後に電動モータの回転負荷が増大する。しかし、波形状に変位したスラット１５はシャッターケース１１内で、外部から見えないので見栄えが悪くなったりしない。
【００１８】
次に、各部材の具体形状の一例を説明する。
図２と図３に示すように引き違いサッシ窓のサッシ枠２０における縦枠２１の室外側部にガイドレール１０を取付けてシャッター枠２２としてあり、シャッター枠２２はその室内側部に障子が引き違いに装着できると共に、その室外側部にシャッターカーテン１３が昇降自在に設けられ、シャッター付きサッシ窓を形成している。前記サッシ枠２０は左右の縦枠２１と上枠２３と下枠２４で方形枠としてある。
これに限ることはなく、シャッター枠２２とサッシ枠２０を別々とし、シャッター枠２２を建物開口部に直接取付けるようにしても良いし、シャッター枠２２をサッシ枠２０に取付けるようにしても良い。また縦枠２１とガイドレール１０を一体としても良い。さらに、前記ガイドレール１０を出入口の左右縦部に取付けるようにしても良い。
【００１９】
前記シャッターボックス１１は図２と図３に示すように縦枠２１の上枠２３から突出した部分と、上面板２５と、側面板２６と、カバー２７と、側面板２６に取付けた補強板２８で形成され、そのカバー２７は開閉自在である。例えば、カバー２７の上端部が上面板２５の室外側部に上下回動自在に支持され、下部２７ａがビス２９で補強板２８に固着してある。
前記カバー２７の下部２７ａ室内側部と上枠２３の室外側部との間にシャッターカーテン１３が出入する開口部３０が形成してある。
前記シャッターカーテン１３の最上部のスラット１５が前記開口部３０を通って前記巻取り軸１４に連結され、最下部のスラット１５が座板１７である。
前記巻取り軸１４を一方向に回転してシャッターカーテン１３を巻き取ることで上昇して開放し、他方向に回転することでシャッターカーテン１３が繰り出して下降し閉塞する。
【００２０】
次に、前記下降規制装置１７の詳細を説明する。
図４と図５に示すように、スラット１５に取付けた規制部材４０とシャッターケース１１内（例えば補強板２８）に固着した受け部材５０で下降規制装置１７を構成している。
前記シャッターカーテン１３が全閉位置の時（例えば、座板１７が下枠２４に接した時）に規制部材４０が受け部材５０に当接し、シャッターカーテン１３が下降しないように規制する。
【００２１】
前記受け部材５０はシャッターカーテン１３の昇降方向に位置調整自在であることが好ましい。
このようにすれば、シャッターカーテン１３の加工誤差、シャッター枠２２の組立誤差などでシャッターカーテン１３の全閉位置がずれた際に、受け部材５０の位置を調整してシャッターカーテン１３が全閉位置の時に規制部材４０が受け部材５０に当接するようにできる。
なお、規制部材４０を位置調整自在としても良い。
【００２２】
前記規制部材４０は図６に示すように取付板４１と規制片４２を備え、その取付板４１がスラット１５に固着具４３で固着して取付けられ、規制片４２がスラット１５の端面１５ａよりも突出する。
前記受け部材５０は図６に示すように、取付具５１と受け具５２を備え、その取付具５１は基板５３と取付板５４を有する。
この実施の形態では基板５３の一部分を折り曲げて取付板５４としてあり、その基板５３と取付板５４は９０度位相が相違する。
前記受け具５２は縦板５５と横板５６でＬ字形状で、その縦板５５の長孔５７からビス５８を取付板５４に螺合して取付具５１に取付けられ、そのビス５８を弛めることで長孔５７の長さ相当だけ上下に位置調整できる。
【００２３】
前記取付具５１の基板５３が図４、図５に示すように補強板２８に固着具５９で固着して取付けられ、その取付板５４が補強板２８と直交する方向に向う。
この取付板５４に受け具５２の縦板５５をビス５８で固着して取付け、その横板５６が前記規制片４２と対向し、シャッターカーテン１３が全閉位置の時に規制片４２が横板５６に当接する。
前記ビス５８はシャッターケース１１のカバー２７と対向し、そのカバー２７を開放することで容易に締付け、弛め操作できるから、前述の受け部材５０の位置調整操作（受け具５２の上下操作）がやり易い。
【００２４】
次に、前記下降規制装置１７でシャッターカーテン１３の下降を規制し、電動モータの回転負荷が増大したら自動的に電動モータを停止する構成の一例を説明する。
図７に示すように、電動モータ６０はモータ本体６１と減速機６２と出力軸６３を備え、そのモータ本体６１、減速機６２が筒状のケース６４内に挿入して固定してある。
このケース６４が巻取り軸１４の内部に回転自在に支承され、その出力軸６３が巻取り軸１４に連結される。
前記モータ本体６１はケース６４とともにベース６５に所定角度だけ回転自在に支承される。例えば、図８に示すようにベース６５の溝６６にケース６４の突起６７を突出させ、その突起６７が溝６６の端部に当るまで回転するようにしてある。
前記ベース６５にスイッチ６８が取付けられ、モータ本体６１に取付けた作動片６９が図９に示すようにスイッチ６８と対向し、作動片６９が所定角度回転するとスイッチ６８がＯＦＦする。
このスイッチ６８がＯＦＦするとモータ本体６１（電動モータ６０）が停止する。
なお、電動モータ６０を起動する時には図示しないワイヤケーブル等を用いて人手でスイッチ６８をＯＮする。
【００２５】
次に作動を説明する。
モータ本体６１を駆動して出力軸６３を矢印ａ方向に回転すると、巻取り軸１４が繰り出し方向に回転してシャッターカーテン１３を下降する。この時、モータ本体６１には矢印ａと反対方向の反力が作用し、突起６７が図８に示すように溝６６の一方の端部に支持して反力を支持する。
前記シャッターカーテン１３が全閉位置となると規制部材４０が受け部材５０に当接してシャッターカーテン１３の下降が規制される。
これによって、巻取り軸１４の矢印ａ方向の回転が規制され、出力軸６３の矢印ａ方向の回転が規制されるから、電動モータ６０の回転負荷が増大すると共に、モータ本体６１（ケース６４）に矢印ａ方向の回転力が作用し、電動モータ６１とともにケース６４が矢印ａ方向に回転し、作動杆６９がスイッチ６８をＯＦＦする。
【００２６】
つまり、電動モータ６０の回転負荷が増大した時にモータ本体６１が回転してスイッチ６８をＯＦＦする構造とすれば良い。
【００２７】
また、電動モータ６０の回転負荷が増大したことを検出し、それによって通電を止めて停止するようにしても良い。例えば、電動モータ６０（モータ本体６１）への通電電流の増大によって回転負荷の増大を検出し、それによって通電を止めて停止する。
【００２８】
【発明の効果】
請求項１に係る発明によれば、シャッターカーテン１３が全閉位置の時にシャッターカーテン１３の下降が下降規制装置１７で規制され、電動モータ６０の回転負荷が増大して電動モータ６０が停止する。
また、前記下降規制装置１７はシャッターケース１１内に設けられ、シャッターカーテン１３はシャッターケース１１内で下降が規制されるから、そのシャッターケース１１よりも下方のスラット１５には電動モータ６０による下降力が作用しないから、ガイドレール１０とスラット１５との間に隙間があってもスラット１５が動くことがない。
よって、シャッターカーテン１３をほぼ直線状の姿勢で全閉位置に正しく停止することができる。
【００２９】
請求項２に係る発明によれば、スラット１５に取付けた規制部材４０がシャッターケース１１内に設けた受け部材５０に当接して下降を規制するので、その規制部材４０を取付けたスラット１５はガイドレール１０に沿って昇降しない。
よって、規制部材４０がガイドレール１０に沿って昇降しないので、その規制部材４０の形状、大きさ等をガイドレール１０に関係なく任意にできるから、受け部材５０をシャッターケース１１内の任意の位置に取付けでき、その取付けに制約を受けることがない。
【００３０】
請求項３に係る発明によれば、受け部材５０の位置を調整することで各部材の加工誤差、組立誤差がある場合でもシャッターカーテン１３が全閉位置の時に規制部材４０が受け部材５０に当接することができる。
【図面の簡単な説明】
【図１】電動式シャッターの一部破断外観図である。
【図２】電動式シャッターの縦断面図である。
【図３】電動式シャッターの横断面図である。
【図４】シャッターケース部分の拡大断面図である。
【図５】シャッターケース部分の一部破断拡大外観図である。
【図６】規制部材と受け部材の分解斜視図である。
【図７】電動モータと巻取り軸の連結部の断面図である。
【図８】図７のＡ−Ａ断面図である。
【図９】図７の右側面図である。
【図１０】従来の電動式シャッターの不具合説明図である。
【符号の説明】
１０…ガイドレール、１１…シャッターケース、１２…巻取り装置、１３…シャッターカーテン、１４…巻取り軸、１５…スラット、１７…下降規制装置、２７…カバー、２８…補強板、４０…規制部材、４２…規制片、５０…受け部材、５１…取付具、５２…受け具、５６…横板、６０…電動モータ。
【図１】
2004263399.tif 000003
【図２】
2004263399.tif 000004
【図３】
2004263399.tif 000005
【図４】
2004263399.tif 000006
【図５】
2004263399.tif 000007
【図６】
2004263399.tif 000008
【図７】
2004263399.tif 000009
【図８】
2004263399.tif 000010
【図９】
2004263399.tif 000011
【図１０】
2004263399.tif 000012